(57)【要約】【課題】この発明は表皮材の荷重が加わる部分硬さを、この表皮材に施されるキルティングによって硬くすることができるようにした電位治療用パッドを提供することにある。【解決手段】第１の表皮材３と第２の表皮材４との周辺部を縫合するとともにこれら一対の表皮材の間の部分が開閉可能な収容部７に形成された袋体２と、袋体の収容部に収容されるシート状の電極治療部材とを具備し、  上記第１の表皮材は、表地１１と裏地１２との間に第１の綿材１３が設けられ、これら三者が一体にキルティングされるとともに、そのキルティングは第１の表皮材の長手方向中央部が他の部分よりも密に形成されており、上記第２の表皮材は、表地１６と裏地１７との間に上記第１の綿材よりも硬い第２の綿材１８と立体メッシュ編物１９がこの立体メッシュ編物を外側にして設けられている。【選択図】      図５
2005081071.tif 000002
【特許請求の範囲】
【請求項１】
第１の表皮材と第２の表皮材との周辺部を縫合するとともにこれら一対の表皮材の間の部分が開閉可能な収容部に形成された袋体と、
この袋体の収容部に収容されるシート状の電極治療部材とを具備し、
上記第１の表皮材は、表地と裏地との間に第１の綿材が設けられ、これら三者が一体にキルティングされるとともに、そのキルティングは第１の表皮材の長手方向中央部が他の部分よりも密に形成されており、
上記第２の表皮材は、表地と裏地との間に上記第１の綿材よりも硬い第２の綿材と立体メッシュ編物がこの立体メッシュ編物を外側にして設けられていることを特徴とする電位治療用パッド。
【請求項２】
上記キルティングは一筆書きの要領で形成されていることを特徴とする請求項１記載の電位治療用パッド。
【請求項３】
上記電極治療部材には、陰イオン治療用電極と発熱体とが設けられていることを特徴とする請求項１記載の電位治療用パッド。
【発明の詳細な説明】
【技術分野】
【０００１】
この発明は夏冬いずれの季節であっても快適に使用することが可能な電位治療用パッドに関する。
【背景技術】
【０００２】
電位治療用パッドは、陰イオン治療用電極を内蔵したシート状の敷物からなり、それをベッドの上や敷き布団の下に敷き、その陰イオン治療用電極に陰電位を通じることにより発生する電界で、人体に陰イオン治療効果を与える構成となっている。
【０００３】
従来の電位治療用パッドは、綿や羽毛などの詰め物が収容された袋体内に陰イオン治療用電極が設けられてなり、利用者は四季を通じて使用している。そのため、冬季は保温性を備えていることが要求され、夏季は吸湿性、通気性を備えていることが要求される。  
しかしながら、保温性と、吸湿性及び通気性とは相反する性質であるから、一種類の電位治療用パッドで四季を通じて快適に使用するということが難しかった。
【発明の開示】
【発明が解決しようとする課題】
【０００４】
そこで、保温性と、吸湿性及び通気性を持たせるためには、電位治療用パッドの袋体を形成する上下一対の表皮材の一方を保温性を備えた構成とし、他方を吸湿性及び通気性を備えた構成すすることで、季節に応じて表皮材のどちらかを上にして使用するということが考えられている。
【０００５】
表皮材に保温性を持たせるためには、この表皮材を形成する表地と裏地との間に保温性を有する材料、たとえば綿材を収容すれば、この綿材によって保温性を持たせることができる。
【０００６】
表地と裏地との間に設けられた綿材は片寄りすることが避けられない。そこで、表地、裏地及び綿材を一体的にキルティングし、綿材の片寄りを防止するようにしている。しかしながら、表地、裏地及び綿材の三者を、表皮材の全体にわたって単に均一にキルティングするだけでは、大きな荷重が繰り返して加わる部分、つまり利用者の臀部に対応する部分の綿材がキルティングによって囲まれた範囲内で片寄ったり、切れたりするということがあった。
【０００７】
この発明は、相反する性質である、保温性と、吸湿性及び通気性を備えるとともに、綿材によって保温性を持たせた場合に、その綿材が片寄り難くした電位治療用パッドを提供することにある。
【課題を解決するための手段】
【０００８】
この発明は、第１の表皮材と第２の表皮材との周辺部を縫合するとともにこれら一対の表皮材の間の部分が開閉可能な収容部に形成された袋体と、
この袋体の収容部に収容されるシート状の電極治療部材とを具備し、
上記第１の表皮材は、表地と裏地との間に第１の綿材が設けられ、これら三者が一体にキルティングされるとともに、そのキルティングは第１の表皮材の長手方向中央部が他の部分よりも密に形成されており、
上記第２の表皮材は、表地と裏地との間に上記第１の綿材よりも硬い第２の綿材と立体メッシュ編物がこの立体メッシュ編物を外側にして設けられていることを特徴とする電位治療用パッドにある。
【０００９】
上記キルティングは一筆書きの要領で形成されていることが好ましい。
【００１０】
上記電極治療部材には、陰イオン治療用電極と発熱体とが設けられていることが好ましい。
【発明の効果】
【００１１】
この発明によれば、第１の表皮材の長手方向中央部分に大きな荷重が繰り返して加わっても、この部分のキルティングが他の部分よりも密であるため、綿材が片寄るのを防止でき、しかも第１の表皮材のキルティングが密に形成された部分は他の部分よりも硬さが増すから、この部分によって利用者の身体を確実に支持することができる。
【発明を実施するための最良の形態】
【００１２】
以下、この発明の一実施の形態を図面を参照して説明する。
【００１３】
図１に示すこの発明の電位治療用パッド１は袋体２を有する。この袋体２は、図５に示すように矩形状の第１の表皮材３と第２の表皮材４との周縁部が帯状の連結布５を介して一対のテープエッジ６によって縫合されている。つまり、連結布５は幅方向の一端部と他端部をそれぞれ各表皮材３，４の内面に重ね合わせ、それぞれの重合部分を上記テープエッジ６によって縫合して一体化されている。周縁部が縫合された第１、第２の表皮材３，４の間には収容部７が形成されている。
【００１４】
図１に示すように、上記連結布５には袋体２の３つの側辺にわたってほぼコ字状にファスナ８が設けられている。このファスナ８によって上記収容部７を開閉することができるようになっている。
【００１５】
上記第１の表皮材３は、表地１１と裏地１２との間に比較的柔らかな第１の綿材１３が設けられ、これら三者が図１に示すようにキルティング１４によって一体的に縫合されている。上記第１の綿材１３はたとえば銀亜鉛系化合物などによって制菌処理されており、それによって抗菌、防ダニ作用を備えている。
【００１６】
上記キルティング１４はコンピュータによって設定された模様に基づいて一筆書きの要領で縫製されており、その模様は第１の表皮材３の長手方向中央部分１４ａが他の部分１４ｂに比べて密に形成されている。つまり、この実施の形態では長手方向中央部分の模様の大きさを、他の部分よりも小さくすることで、中央部分のキルティング１４を他の部分よりも密に形成している。
【００１７】
上記第２の表皮材４は、表地１６と裏地１７との間に、重合された第２の綿材１８と立体メッシュ編物１９とを、裏地１７側に第２の綿材１８、表地１６側に立体メッシュ編物１９を位置させ、これらを図３に示すように長手方向の中途部二箇所で幅方向に沿うキルティング２１によって一体的に連結している。
【００１８】
第２の表皮材４の長手方向の中途部の二箇所にキルティング２１を設けることで、袋体２の長手方向両端部分を上記キルティング２１の線に沿って下面側へ折り畳み易くしている。つまり、袋体２を比較的容易に３つに折り畳むことができるようになっている。
【００１９】
上記第２の綿材１８は、ポリエステルなどの化学合成繊維によって上記第１の綿材１３よりも硬く形成されている。上記立体メッシュ編物１９は、詳細は図示しないが、上面メッシュ地と下面メッシュ地とを連結糸によって適当な間隔で連結した立体構造をなしていて、厚さ方向及び厚さ方向と交差する方向に通気性を備えている。なお、この立体メッシュ編物１９はポリエステル、ポリアミド、アクリルなどの合成繊維、ウールや絹などの天然繊維、ガラス繊維、炭素繊維、金属繊維など、編成可能な繊維によって形成されている。
【００２０】
第１の表皮材３と第２の表皮材４との間に形成された収容部７にはシート状の電極治療部材２３が出し入れ可能に設けられる。この電極治療部材２３は、図４に示すように耐熱性と電気絶縁性を備えた可撓性のシート２４に、陰イオン治療用電極２５と発熱体２６とが埋め込まれたり、プリントするなどの手段によって一体的に設けられている。
【００２１】
上記シート２４の一方の面の四隅部には矩形状の第１のベルベットファスナ２７が設けられている。上記第２の表皮材４の内面、つまり裏地１２には第１のベルベットファスナ２７と対応するよう、矩形状の第２のベルベットファスナ２８が向きを９０度違えて設けられている。
【００２２】
それによって、上記電極治療部材２３を上記収容部７に収容すると、第１のベルベットファスナ２７が第２のベルベットファスナ２８に係着するから、電極治療部材２３が収容部７内でずれ動くのが防止される。
【００２３】
図１に示すように、上記電極治療部材２３の一側にはコネクタ３１が接続される接続部３２が設けられている。上記コネクタイ３１は中継コード３３を介してコントローラ３４に接続されている。このコントローラ３４は電源コード３５によって商用電源に接続される。
【００２４】
上記コントローラ３４には電位操作ボタン３６と、電熱操作ボタン３７とが設けられている。電位操作ボタン３６によって陰イオン治療用電極２５の出力を−３００Ｖ、−６００Ｖ、−９００Ｖの３段階に設定でき、電熱操作ボタン３７によって発熱体２６を最高約４８度まで温度上昇させることができるようになっている。
【００２５】
このように構成された電位治療用パッド１によれば、利用者は季節や体調に合わせて使い分けることができる。たとえば、秋、冬或いは春などは第１の表皮材３を上側にして使用する。それによって、第１の表皮材３に設けられた第１の綿材１３の保温性や柔らかさにより、快適な状態で使用することができる。このとき、陰イオン治療用電極２５に通電すれば、イオン治療を受けることができ、発熱体２６に通電すれば、利用者は温治療を受けることができる。
【００２６】
第１の表皮材３にはキルティング１４が設けられている。このキルティング１４は、長手方向中央部分１４ａが他の部分１４ｂに比べて密に設けられている。そのため、第１の表皮材３の長手方向中央部分ａに利用者の身体の重たい部分である、臀部の荷重が繰り返して加わっても、密に形成されたキルティング１４によって内部に設けられた第１の綿材１３が片寄ったり、切れるのが防止される。
【００２７】
しかも、長手方向中央部分１４ａのキルティング１４が密に形成されていることで、第１の表皮材３の長手方向中央部分１４ａが他の部分１４ｂよりも硬くなっている。そのため、パッド１上に仰臥した利用者の臀部が確実に支持されるから、仰臥姿勢の安定性が向上する。
【００２８】
一方、夏は第２の表皮材４を上側にして使用する。それによって、第２の表皮材４に設けられた立体メッシュ編物１９の通気性により、利用者の身体がむれたり、温度上昇することなく利用することができる。
【００２９】
上記立体メッシュ編物１９には第２の綿材１８が重合されている。第２の綿材１８は第１の綿材１３よりも硬い。そのため、第２の表皮材４は立体メッシュ編物１９を確実に支持するから、それによって利用者の身体も安定性良く、確実に支持されることになる。
【図面の簡単な説明】
【００３０】
【図１】この発明の一実施の形態を示す電位治療用パッドの斜視図。
【図２】電位治療用パッドの第１の表皮材側を示す平面図。
【図３】電位治療用パッドの第２の表皮材側を示す平面図。
【図４】電極治療部材の平面図。
【図５】電位治療用パッドの一部分の断面図。
【符号の説明】
【００３１】
２…袋体、３…第１の表皮材、４…第２の表皮材、７…収容部、１１，１６…表地、１２，１７…裏地、１３…第１の綿材、１４…キルティング、１８…第２の綿材、１９…立体メッシュ編物、２５…陰イオン治療用電極。
【図１】
2005081071.tif 000003
【図２】
2005081071.tif 000004
【図３】
2005081071.tif 000005
【図４】
2005081071.tif 000006
【図５】
2005081071.tif 000007